(57)【要約】【課題】構成パーツの点数が極めて少なく、限られたスペースであっても組み立て及び分解作業が容易であるとともに輸送及び保管に便利で、浴槽としての必要な強度を確保しつつ入浴者に入浴時の安らぎ感を与え得る任意の形状を採用することのできる簡易浴槽用組立式筐体を提供する【解決手段】適所に入浴者の出入りを許容する開放部３が設定されたメインユニット４と、開放部３を開閉するゲートユニット５と、両ユニット４，５を相互に連結固定する連結手段６とを具備する。メインユニット４は、メイン側手摺フレーム４３とベース４１とを連結し、貯湯時は簡易浴槽用２シート内の湯の水圧を受容する複数枚の折り畳み自在なメイン側受圧シート４４を有しており、ゲートユニット５を取り外した後、メイン側支柱４５をメイン側手摺フレーム４３から外してベース４１上に倒伏させることでベース４１上に重ねられる。【選択図】  図１
2008079636.tif 000002
【特許請求の範囲】
【請求項１】
簡易浴槽用シートの全周面及び底面をそれらの外側から支持する簡易浴槽用組立式筐体において、
適所に入浴者の出入りを許容する開放部が設定されたメインユニットと、このメインユニットの開放部を開閉するゲートユニットと、これら両ユニットを相互に連結固定する連結手段とを具備し、
前記メインユニットは、
前記簡易浴槽用シートの底面を受けるベースと、
このベースの上方において前記開放部を除く部分に配置されるメイン側手摺フレームと、
このメイン側手摺フレームと前記ベースとの間に介装され、これらメイン側手摺フレームとベースとを連結するとともに、貯湯時は前記簡易浴槽用シート内の湯の水圧を受容する複数枚の折り畳み自在なメイン側受圧シートと、
これら複数枚のメイン側受圧シート同士の間及び前記メイン側手摺フレームの両端部にそれぞれ対応して前記ベースに基端部が回動可能に取り付けられ、不使用時には前記ベースに倒伏可能とされる一方、使用時には起立されて先端部が前記メイン側手摺フレームと着脱可能に嵌合され該メイン側手摺フレームを支持固定する複数本のメイン側支柱と、
を備え、
前記ゲートユニットは、
前記開放部において前記メイン側手摺フレームの両端部を架橋するゲート側手摺フレームと、
このゲート側手摺フレームの下方に対設されたゲート側下フレームと、
このゲート側下フレームと前記ゲート側手摺フレームとの間に介装され、これら両フレーム同士を連結するとともに、貯湯時は前記簡易浴槽用シート内の湯の水圧を受容する１枚又は複数枚のゲート側受圧シートと、
このゲート側受圧シートの両側に配設され前記ゲート側手摺フレームと前記ゲート側下フレームとを相互に連結支持するゲート側支柱と
を備えたことを特徴とする簡易浴槽用組立式筐体。
【請求項２】
簡易浴槽用シートの全周面及び底面をそれらの外側から支持する簡易浴槽用組立式筐体において、
前記簡易浴槽用シートの底面を受けるベースと、
このベースの上方に配置される手摺フレームと、
この手摺フレームと前記ベースとの間に介装され、これら手摺フレームとベースとを連結するとともに、貯湯時は前記簡易浴槽用シート内の湯の水圧を受容する複数枚の折り畳み自在な受圧シートと、
これら複数枚のメイン側受圧シート同士の間にそれぞれ対応して前記ベースに基端部が回動可能に取り付けられ、不使用時には前記ベースに倒伏可能とされる一方、使用時には起立されて先端部が前記手摺フレームと着脱可能に嵌合され該手摺フレームを支持固定する複数本の支柱と、
を備えたことを特徴とする簡易浴槽用組立式筐体。
【請求項３】
前記ベースは、その下面に脚部材が設けられるとともに、前記簡易浴槽用シートに接続された排水管が挿通される排水管挿通孔が設けられたことを特徴とする請求項１又は２に記載の簡易浴槽用組立式筐体。
【請求項４】
請求項１乃至３のいずれか一つに記載の簡易浴槽用組立式筐体と、この簡易浴槽用組立式筐体内に配設される簡易浴槽用シートとを備えた簡易浴槽。
【請求項５】
請求項４に記載の簡易浴槽において、さらに、車椅子の座面と略同じ高さを有する台座を備え、この台座上に簡易浴槽用組立式筐体が載置されたことを特徴とする簡易浴槽。
【発明の詳細な説明】
【技術分野】
【０００１】
本発明は、介護が必要な病人や老人の沐浴のために使用される簡易浴槽の分野において、特に、簡易浴槽用シートの全周面及び底面をそれらの外側から支持する簡易浴槽用組立式筐体に関する。
【背景技術】
【０００２】
従来、介護が必要な老人或いは病人などを安全且つ簡単な方法で入浴させることができるようにした簡易浴槽としては、例えば、特開平１０−２９５７７０号公報（特許文献１）に所載の簡易風呂、特開平８−５２１９０号公報（特許文献２）に所載の組立式介助用浴槽、特開２００３−１８０７８６号公報（特許文献３）に所載の介護用折り畳み式簡易浴槽、特開２００５−２０５１２４号公報（特許文献４）に所載の携帯型組立て式簡易浴槽などが知られている。
【０００３】
特許文献１に所載の簡易風呂は、内部に椅子を設置するとともに貯水を行い得るように上部を開放した耐水袋の外周にフレームを組み立て、フレームに耐水袋の上端外周を着脱自在に固定して耐水袋内への湯水の貯水状態を保持し得るようにしたものである。
【０００４】
特許文献２に所載の組立式介助用浴槽は、浴槽フレームと折線が形成された柔軟なシート部材からなる槽を有し、折線に沿って折り立てた槽が浴槽フレームの上部矩形状フレームと下部矩形状フレームの間に組み込まれ、槽底部下方に空間が形成され、支持杆の下端に走行手段を設けてなるものである。
【０００５】
特許文献３に所載の介護用折り畳み式簡易浴槽は、脚部に棒状部材を組み付け、この棒状部材に浴槽用無蓋箱状シートを取り付け、この浴槽用無蓋箱状シートで形成した浴槽空間にお湯を流し込むことにより、介護される人の近くで浴槽を組み立てることができ、介護される人を特定場所の浴槽まで運ぶという人為的労力がなくなるとともに、浴槽を任意に選択した設置箇所で簡便に組み立てることができ、また、不使用時には、脚部と棒状部材と浴槽用無蓋箱状シートとを夫々分解して折り畳むことで、その折り畳み作業が容易となり、収納・保管や搬送が容易となり、その取り扱いを簡便にすることができるとともに収納スペースを小さくさせ、しかも、浴槽の軽量化を図ることができるものである。
【０００６】
特許文献４に所載の携帯型組立て式簡易浴槽は、折り畳み防水シートと、防水シートを安全に固定させる複数個の側面部装置と、側面部装置を安定させる差込部を設けた浴槽部底盤と、利用者が肌を直接接する入浴板の４種の部材からなり、浴槽部底盤の差込穴に側面部装置を差し込み、その側面部装置に浴槽状に折り畳んだ一枚の防水シートを固定するものである。上記各部材はいずれも女性が一人で持ち、移動可能なサイズ、重さに設定されており、どのような場所でも安全に組立てが可能とされている。また、浴槽立ち上がり部は複数個の側面部装置を浴槽部底盤へ差込む組立て式であるため、一面を開放して入浴利用者を引き込んだ後で、セットすることができ、浴槽部底盤を入浴者の都合の良いレベルにセットさえすれば、入浴者を持ち上げる必要はなく、水平方向の小さな体位移動だけで安全に入浴させる事ができる。したがって、入浴者の入浴時における介護者の負担を軽減できるものである。
【特許文献１】特開平１０−２９５７７０号公報
【特許文献２】特開平８−５２１９０号公報
【特許文献３】特開２００３−１８０７８６号公報
【特許文献４】特開２００５−２０５１２４号公報
【発明の開示】
【発明が解決しようとする課題】
【０００７】
しかしながら、上記したいずれの特許文献に所載の技術にあっても、浴槽の組み立て及び分解に際して浴槽底部の周囲でフレームを取り回すものであるため、浴槽の設置予定位置の周りにそれ相応の作業スペースを確保する必要があることから、狭い室内では取り扱いに不便であるといった問題があった。特に、スペースの限られている住居内の浴室の洗い場や脱衣場、また入浴サービスに使用される巡回車両の室内などには到底持ち込めるものではなかった。
【０００８】
また、上記いずれの従来技術にあっても、構成パーツの点数が多いため、組み立て及び分解作業が煩雑で、女性や年配者には取り扱い辛く、しかも構成パーツの点数が多い分輸送及び保管に不便なものであった。
【０００９】
さらに、簡易浴槽とはいえその貯湯量は２００リットル前後にもなり、それだけでも浴槽内のシートが受ける水圧はかなりなものになるが、それに加えて浴槽内には人が入ることから、シートが受ける圧力は相当大きなものとなる。従って、浴槽自体にかなりの強度が求められるところ、上記いずれの従来技術にあっても、せいぜい、フレームを構成するパイプだけで浴槽シートを支持し、浴槽シートそれ自体に強度を求める構造をとっているため、その分浴槽シートが分厚いものとならざるを得ず、その結果、折り畳み及び展開がしにくく取扱い性に欠けるばかりか、コスト高を招来するといった問題があった。
【００１０】
また、上記いずれの従来技術にあっても、その構造上直方体の形状しか採り得なかったため、介護を要する入浴者にとってはせっかく安らぎを覚える入浴時でありながら、直方体という無骨で無味乾燥な浴槽によって安らぎ感も半減されるといった問題があった。それとともに、すべての周面が底面に対して直角であるため、上体を傾斜させて入浴するには不向きであり、このことも入浴時の安らぎ感を削いでしまう要因でもあった。
【００１１】
本発明は上記従来の問題点を解決すべく創案されたものであり、構成パーツの点数が極めて少なく、限られたスペースであっても組み立て及び分解作業が容易であるとともに輸送及び保管に便利で、しかも浴槽としての必要な強度を確保しつつ浴槽シートに薄手で取扱い性及び経済性に優れたものを採用することができ、さらには入浴者に入浴時の安らぎ感を与え得る任意の形状を採用することのできる簡易浴槽用組立式筐体を提供することを目的としている。
【課題を解決するための手段】
【００１２】
上記課題を解決するため、請求項１の発明に係る簡易浴槽用組立式筐体は、適所に入浴者の出入りを許容する開放部が設定されたメインユニットと、このメインユニットの開放部を開閉するゲートユニットと、これら両ユニットを相互に連結固定する連結手段とを具備し、前記メインユニットは、簡易浴槽用シートの底面を受けるベースと、このベースの上方において前記開放部を除く部分に配置されるメイン側手摺フレームと、このメイン側手摺フレームと前記ベースとの間に介装され、これらメイン側手摺フレームとベースとを連結するとともに、貯湯時は前記簡易浴槽用シート内の湯の水圧を受容する複数枚の折り畳み自在なメイン側受圧シートと、これら複数枚のメイン側受圧シート同士の間及び前記メイン側手摺フレームの両端部にそれぞれ対応して前記ベースに基端部が回動可能に取り付けられ、不使用時には前記ベースに倒伏可能とされる一方、使用時には起立されて先端部が前記メイン側手摺フレームと着脱可能に嵌合され該メイン側手摺フレームを支持固定する複数本のメイン側支柱と、を備え、前記ゲートユニットは、前記開放部において前記メイン側手摺フレームの両端部を架橋するゲート側手摺フレームと、このゲート側手摺フレームの下方に対設されたゲート側下フレームと、このゲート側下フレームと前記ゲート側手摺フレームとの間に介装され、これら両フレーム同士を連結するとともに、貯湯時は前記簡易浴槽用シート内の湯の水圧を受容する１枚又は複数枚のゲート側受圧シートと、このゲート側受圧シートの両側に配設され前記ゲート側手摺フレームと前記ゲート側下フレームとを相互に連結支持するゲート側支柱とを備えたことを特徴とするものである。
【００１３】
この特定事項により、構成パーツは、実質的にメインユニットとゲートユニットの２点だけとなるため、輸送及び保管に便利である。また、組み立てに際してはメインユニットのメイン側手摺フレームをベースから上方に引き上げたのち、複数本のメイン側支柱を順次起立させそれぞれの先端部をメイン側手摺フレームに嵌合させてメイン側手摺フレームを固定し、ついでメインユニット内に簡易浴槽用シートを敷設し入浴者に開放部からメインユニット内に入ってもらい、それが完了したら簡易浴槽用シートを所定の形状に成形してから開放部をゲートユニットで閉じるとともに連結手段によりゲートユニットをメインユニットに連結固定し、簡易浴槽用シート内に湯を注入する。分解するときは逆の手順となる。従って、メインユニットの周囲に全くスペースがなくても、少なくとも開放部の正面にのみスペースあれば、組み立て及び分解が可能であり、極めて狭い場所でも使用することができる。
【００１４】
また、メイン側受圧シートとゲート側受圧シートとによって貯湯時に簡易浴槽用シート内の湯の水圧を受容するとともに、その水圧を各受圧シート間の支柱によっても受け、且つ、各受圧シートと支柱との空間において僅かながら簡易浴槽用シートを浴槽外に膨出させることにより水圧を分散させる構成としているから、高強度を確保することができ、簡易浴槽用シートに薄手で取扱い性及び経済性に優れたものを採用することができる。それとともに、メイン側手摺フレーム及びゲート側手摺フレームの形状を任意の形状とすることが可能となるため、例えば、方形ではあっても四隅に丸みを付けたり、あるいは浴槽の開口部全体の形状を楕円形としたりすることもでき、従来の直方体からは決して得ることのできない安らぎ感を演出することができる。また、メイン側手摺フレーム及びゲート側手摺フレームが形作る全体としての手摺フレームをベースよりも多少大きくすることもでき、この場合は浴槽の周面が上方にいくに従って漸次広がることになることから、入浴者が上体を斜めに倒した状態で入浴することが可能となり、入浴時の安らぎ感をより高めることができる。
【００１５】
請求項２の発明に係る簡易浴槽用組立式筐体は、簡易浴槽用シートの底面を受けるベースと、このベースの上方に配置される手摺フレームと、この手摺フレームと前記ベースとの間に介装され、これら手摺フレームとベースとを連結するとともに、貯湯時は前記簡易浴槽用シート内の湯の水圧を受容する複数枚の折り畳み自在な受圧シートと、これら複数枚のメイン側受圧シート同士の間にそれぞれ対応して前記ベースに基端部が回動可能に取り付けられ、不使用時には前記ベースに倒伏可能とされる一方、使用時には起立されて先端部が前記手摺フレームと着脱可能に嵌合され該手摺フレームを支持固定する複数本の支柱とを備えたことを特徴とするものである。
【００１６】
この発明に係るものは、請求項１の発明に係るものから開放部及びそれに伴うゲートユニットを省いたものであり、入浴者が浴槽の周壁を跨いで入ることのできる場合に適用され、その作用は上記した請求項１の発明のものと同じである。
【００１７】
上記の簡易浴槽用組立式筐体にあっては、前記ベースは、その下面に脚部材が設けられるとともに、簡易浴槽用シートに接続された排水管が挿通される排水管挿通孔が設けられたものであってもよい。
【００１８】
この場合、簡易浴槽用シートの底面から排水することができるため、入浴後の後始末を迅速に行うことができる。
【００１９】
請求項４の発明に係る簡易浴槽は、上記構成の簡易浴槽用組立式筐体と、この簡易浴槽用組立式筐体内に配設される簡易浴槽用シートとを備えたものである。
また、上記の簡易浴槽は、さらに、車椅子の座面と略同じ高さを有する台座を備え、この台座上に簡易浴槽用組立式筐体が載置されたものであってもよい。
【００２０】
この場合、車椅子の乗り降りが単独で或いは介助者の介助があればできる者であれば、臀部を車椅子の座面からそのままのレベルを保ったまま簡易浴槽用組立式筐体内へスライドさせることで筐体内に体を移すことができ、利用範囲が広がる。
【発明の効果】
【００２１】
本発明に係る簡易浴槽用組立式筐体及び簡易浴槽は、構成パーツの点数が極めて少なく、限られたスペースであっても組み立て及び分解作業が容易であるとともに輸送及び保管に便利で、しかも浴槽としての必要な強度を確保しつつ浴槽シートに薄手で取扱い性及び経済性に優れたものを採用することができ、さらには入浴者に入浴時の安らぎ感を与え得る任意の形状を採用することができる。
【発明を実施するための最良の形態】
【００２２】
以下、本発明の実施の形態について、図面を参照して説明する。
【００２３】
図１は本発明に係る簡易浴槽用組立式筐体を示す分解斜視図、図２は組み立た状態の簡易浴槽用組立式筐体を示す斜視図、図３は簡易浴槽用組立式筐体のメインユニットを示し、すべてのメイン側支柱を倒伏させメイン側手摺フレームをベース上に重ねた状態の斜視図、図４はメインユニットとゲートユニットとを連結固定する連結手段の一例を示す部分分解斜視図、図５はメインユニット内に簡易浴槽用シートを敷設し入浴者を待ち受ける状態を示す斜視図、図６はゲートユニットにより開放部を閉じ、湯の注入を待ち受ける状態を示す斜視図である。
【００２４】
本発明に係る簡易浴槽用組立式筐体１は、簡易浴槽用シート２の全周面及び底面をそれらの外側から支持するものである。
【００２５】
この簡易浴槽用組立式筐体１は、適所に入浴者の出入りを許容する開放部３が設定されたメインユニット４と、このメインユニット４の開放部３を開閉するゲートユニット５と、これら両ユニット４，５を相互に連結固定する連結手段６とを具備している。
【００２６】
本実施の形態においては、開放部３は、入浴者が両手を突いて臀部をずらせながら後ろ向きで浴槽内に入ることができるよう、四つあるうちの一つのコーナーを挟んで隣接する二辺をそれぞれ部分的に切り欠くかたちで設けられている。尚、開放部３の形態はこれに限るものではなく、いずれか一辺に設けられていてもよい。
【００２７】
上記メインユニット４は、簡易浴槽用シート２の底面を受けるベース４１と、このベース４１の上方において前記開放部３を除く部分に配置されるメイン側手摺フレーム４３と、このメイン側手摺フレーム４３と前記ベース４１との間に介装され、これらメイン側手摺フレーム４３とベース４１とを連結するとともに、貯湯時は簡易浴槽用シート２内の湯の水圧を受容する複数枚の折り畳み自在なメイン側受圧シート４４と、これら複数枚のメイン側受圧シート４４同士の間及びメイン側手摺フレーム４３の両端部にそれぞれ対応してベース４１に基端部４５ａが回動可能に取り付けられ、不使用時にはベース４１に倒伏可能とされる一方、使用時には起立されて先端部４５ｂがメイン側手摺フレーム４３と着脱可能に嵌合されメイン側手摺フレーム４３を支持固定する複数本のメイン側支柱４５とを備えたものである。
【００２８】
メイン側支柱４５は、図示例ではベース４１の上面周囲に周設固定されたベースフレーム４２に回動可能に取り付けられたチーズ継手４６にその基端部が取着されている。またメイン側支柱４５の先端部４５ｂにはメイン側手摺フレーム４３と嵌合可能な嵌合部材４７が取着されている。ここで、メイン側支柱４５は、ベース４１内から外方に向けて起立し、メイン側手摺フレーム４３と嵌合するものであるから、貯湯時に水圧を受けてもメイン側手摺フレーム４３から外れることは決してない。
【００２９】
尚、メイン側支柱４５のベース４１への取り付け手段は上記した例に限るものではなく、ベースフレーム４２を設けることなく、基端部４５ａを直接ベース４１に回動可能に取り付けてもよい。また、メイン側支柱４５の基端部４５ａはチーズ継手４６に、例えば螺合手段により着脱可能として、不使用時にメイン側支柱４５を完全に取り外せるようにしてもよい。このようにすることによって、メイン側支柱４５を倒伏させた時にメイン側支柱４５同士がベース４１上で干渉し合うといったことがなくなる。
【００３０】
ベース４１は、その下面に複数個の脚部材４８（図１中破線で示す）が設けられるとともに、簡易浴槽用シート２に接続された排水管（図示省略）が挿通される排水管挿通孔４９が設けられている。また、このベース４１の上面には断熱シート（図示省略）が設けられている。
【００３１】
尚、排水管が簡易浴槽用シート２の側面に接続されている場合は、排水管をメイン側受圧シート４４とメイン側支柱４５との間から外方に引き出すことが可能であるため、上記した排水管挿通孔４９を省くことは任意である。また、その場合は、ベース４１の下面側に排水管用のスペースを確保する必要がないので、上記した脚部材４８も省くことは任意である。
【００３２】
メイン側受圧シート４４は、貯湯時に簡易浴槽用シート２を介して受ける水圧に十分耐えうる強度を有するものであれば、布製シート、合成樹脂製シートのいずれであってもよい。このメイン側受圧シート４４は、図示例では上端部がメイン側手摺フレーム４３に、下端部がベースフレーム４２にそれぞれ巻き付けられた状態で各端縁部分がシート本体部分に縫着されることによりそれら各フレーム４２，４３に固縛されている。ここで、図示例のように、メイン側受圧シート４４をメイン側手摺フレーム４３のコーナー部分に設けた場合は、コーナー部分には支柱がこないため、該コーナー部分を丸みのある形状とすることができ、浴槽全体として入浴時に安らぎ感を与えうる形状とすることができる。
【００３３】
前記ゲートユニット５は、前記開放部３においてメイン側手摺フレーム４３の両端部を架橋するゲート側手摺フレーム５３と、このゲート側手摺フレーム５３の下方に対設されたゲート側下フレーム５１と、このゲート側下フレーム５１とゲート側手摺フレーム５３との間に介装され、これら両フレーム５１，５３同士を連結するとともに、貯湯時は簡易浴槽用シート２内の湯の水圧を受容する２枚のゲート側受圧シート５４と、このゲート側受圧シート５４の両側に配設されゲート側手摺フレーム５３とゲート側下フレーム５１とを相互に連結支持するゲート側支柱５５とを備えたものである。
【００３４】
このゲートユニット５は、メインユニット４の一つのコーナーに設定された開放部３を開閉するものであるため、ゲート側手摺フレーム５３及びゲート側下フレーム５１はそれぞれ該コーナーの形状に合致するように屈曲されている。
【００３５】
ゲート側支柱５５は、ゲートユニット５の両端部と、上記屈曲部分から外れた個所とに設けられるとともに、これら各ゲート側支柱５５の下方延長線上には、開放部３においてベースフレーム４２とその上方から嵌合する嵌合部５６がそれぞれ設けられている。
【００３６】
ゲート側受圧シート５４は、前記したメイン側受圧シート４４と同じものである。図示例では２枚のゲート側受圧シート５４が用いられているが、これに限らず１枚でもよいし３枚以上であってもよい。
【００３７】
ゲート側手摺フレーム５３の両端部には、図４に示すように、それぞれ該両端部のゲート側支柱５５，５５から外方に突出する断面アーチ形状の連結片６１が設けられるとともに、これら各連結片６１，６１の内面には、メイン側手摺フレーム４３の両端部に穿設された連結孔６２，６２とそれぞれ嵌合する連結突起６３が設けられている。そして、これら連結片６１，６１及び連結孔６２，６２、並びに、メイン側手摺フレーム４３の両端部に位置するメイン側支柱４５，４５とゲート側手摺フレーム５３の両端部に位置するゲート側支柱５５，５５とに両端部が嵌着される２対の連結杆６４‥により、本発明における連結手段６が構成される。尚、連結手段の具体的構成はこの例に限るものではなく、浴槽としての強度を確保できるのであれば、形態は任意である。例えば、図７に示すように、上記した連結片６１及び連結突起６３、並びに連結孔６２を省き、連結杆６４だけで連結手段を構成してもよい。
【００３８】
次に、上記のようになる簡易浴槽用組立式筐体の使用手順について説明する。
【００３９】
組み立てに際しては、最初は、図３に示すように、メインユニット４のメイン側支柱４５がすべてベース４１上に倒伏し、メイン側手摺フレーム４３がベースフレーム４２上に重なっているので、まずはメイン側手摺フレーム４３をベース４１から上方に引き上げたのち、メイン側支柱４５を順次起立させ（図１参照）、それぞれの先端部をメイン側手摺フレーム４３に嵌合させてメイン側手摺フレームを固定する。
【００４０】
次いで、図５に示すように、メインユニット４内に簡易浴槽用シート２を敷設し入浴者（図示省略）に開放部３からメインユニット４内に入ってもらい、それが完了したら簡易浴槽用シート２を所定の形状に成形してからゲートユニット５で開放部３を閉じるとともにゲートユニット５を連結手段によりメインユニット４に連結固定する。
【００４１】
その後、図６に示すように、メイン側手摺フレーム４３及びゲート側手摺フレーム５３に巻き掛けられた簡易浴槽用シート２の端部に、弾性を有する固定クリップＣを冠着し、簡易浴槽用シート２の固定を完了してから、簡易浴槽用シート２内に湯を注入する。
【００４２】
分解するときは上記と逆の手順となる。
【００４３】
尚、メイン側手摺フレーム４３及びゲート側手摺フレーム５３の形状は上記した例に限るものではなく、任意の形状とすることができる。例えば、浴槽の開口部全体の形状を楕円形としたり、部分的に湾曲部を有する形状としてもよい。また、メイン側手摺フレーム４３及びゲート側手摺フレーム５３が形作る全体としての手摺フレームをベース４１よりも多少大きくすることで、浴槽の周面が上方にいくに従って漸次広がるようにしてもよい。この場合、入浴者が上体を斜めに倒した状態で入浴することが可能となり、入浴時の安らぎ感をより高めることができる。また、入浴者が跨いで浴槽内に入ることができる場合は、開放部３及びこれに伴うゲートユニット５を設けなくともよい。
【００４４】
また、図８に示すように、車椅子の座面と略同じ高さを有する台座７を用意し、この台座７上に上記構成の簡易浴槽用組立式筐体１を載置するようにすると、車椅子の乗り降りが単独で或いは介助者の介助があればできる者であれば、臀部を車椅子の座面からそのままのレベルを保ったまま簡易浴槽用組立式筐体１内へスライドさせることで筐体１内に体を移すことができ、利用範囲が広がる。この場合、台座７を図８に示すようにパイプ材を組んで構成する一方、この台座７を構成する上部フレーム内に、ベース４１の下面の四隅に存する脚部材４８が嵌まり込むようにすると、台座７上で簡易浴槽用組立式筐体１がずれたりする虞がなく、安全性が高まる。
【図面の簡単な説明】
【００４５】
【図１】本発明に係る簡易浴槽用組立式筐体の一実施形態を示す分解斜視図である。
【図２】簡易浴槽用組立式筐体の組み立て完了状態を示す斜視図である。
【図３】簡易浴槽用組立式筐体のメインユニットを示し、すべてのメイン側支柱を倒伏させメイン側手摺フレームをベース上に重ねた状態の斜視図である。
【図４】メインユニットとゲートユニットとを連結固定する連結手段の一例を示す部分分解斜視図である。
【図５】メインユニット内に簡易浴槽用シートを敷設し入浴者を待ち受ける状態を示す斜視図である。
【図６】ゲートユニットにより開放部を閉じ、湯の注入を待ち受ける状態を示す斜視図である。
【図７】連結手段の他の例を示す部分拡大正面図である。
【図８】簡易浴槽用組立式筐体を台座上に載置した状態を示す斜視図である。
【符号の説明】
【００４６】
１      簡易浴槽用組立式筐体
２      簡易浴槽用シート
３      開放部
４      メインユニット
４１  ベース
４３  メイン側手摺フレーム
４４  メイン側受圧シート
４５  メイン側支柱
４５ａ  基端部
４５ｂ  先端部
４９  排水管挿通孔
４８  脚部材
５      ゲートユニット
５１  ゲート側下フレーム
５３  ゲート側手摺フレーム
５４  ゲート側受圧シート
５５  ゲート側支柱
６      連結手段
６１  連結片
６２  連結孔
６３  連結突起
６４  連結杆
７      台座
【図１】
2008079636.tif 000003
【図２】
2008079636.tif 000004
【図３】
2008079636.tif 000005
【図４】
2008079636.tif 000006
【図５】
2008079636.tif 000007
【図６】
2008079636.tif 000008
【図７】
2008079636.tif 000009
【図８】
2008079636.tif 000010
【手続補正書】
【提出日】平成19年4月2日(2007.4.2)
【手続補正１】
【補正対象書類名】特許請求の範囲
【補正対象項目名】請求項１
【補正方法】変更
【補正の内容】
【請求項１】
簡易浴槽用シートの全周面及び底面をそれらの外側から支持する簡易浴槽用組立式筐体において、
入浴者の出入りを許容する開放部が設定されたメインユニットと、このメインユニットの開放部を開閉するゲートユニットと、これら両ユニットを相互に連結固定する連結手段とを具備し、
前記メインユニットは、
前記簡易浴槽用シートの底面を受けるベースと、
このベースの上方において前記開放部を除く部分に配置されるメイン側手摺フレームと、
このメイン側手摺フレームと前記ベースとの間に介装され、これらメイン側手摺フレームとベースとを連結するとともに、貯湯時は前記簡易浴槽用シート内の湯の水圧を受容する複数枚の折り畳み自在なメイン側受圧シートと、
これら複数枚のメイン側受圧シート同士の間及び前記メイン側手摺フレームの両端部にそれぞれ対応して前記ベースに基端部が回動可能に取り付けられ、不使用時には前記ベースに倒伏可能とされる一方、使用時には起立されて先端部が前記メイン側手摺フレームと着脱可能に嵌合され該メイン側手摺フレームを支持固定する複数本のメイン側支柱と、
を備え、
前記ゲートユニットは、
前記開放部において前記メイン側手摺フレームの両端部を架橋するゲート側手摺フレームと、
このゲート側手摺フレームの下方に対設されたゲート側下フレームと、
このゲート側下フレームと前記ゲート側手摺フレームとの間に介装され、これら両フレーム同士を連結するとともに、貯湯時は前記簡易浴槽用シート内の湯の水圧を受容する１枚又は複数枚のゲート側受圧シートと、
このゲート側受圧シートの両側に配設され前記ゲート側手摺フレームと前記ゲート側下フレームとを相互に連結支持するゲート側支柱と
を備えたことを特徴とする簡易浴槽用組立式筐体。
【手続補正２】
【補正対象書類名】明細書
【補正対象項目名】００１２
【補正方法】変更
【補正の内容】
【００１２】
上記課題を解決するため、請求項１の発明に係る簡易浴槽用組立式筐体は、入浴者の出入りを許容する開放部が設定されたメインユニットと、このメインユニットの開放部を開閉するゲートユニットと、これら両ユニットを相互に連結固定する連結手段とを具備し、前記メインユニットは、簡易浴槽用シートの底面を受けるベースと、このベースの上方において前記開放部を除く部分に配置されるメイン側手摺フレームと、このメイン側手摺フレームと前記ベースとの間に介装され、これらメイン側手摺フレームとベースとを連結するとともに、貯湯時は前記簡易浴槽用シート内の湯の水圧を受容する複数枚の折り畳み自在なメイン側受圧シートと、これら複数枚のメイン側受圧シート同士の間及び前記メイン側手摺フレームの両端部にそれぞれ対応して前記ベースに基端部が回動可能に取り付けられ、不使用時には前記ベースに倒伏可能とされる一方、使用時には起立されて先端部が前記メイン側手摺フレームと着脱可能に嵌合され該メイン側手摺フレームを支持固定する複数本のメイン側支柱と、を備え、前記ゲートユニットは、前記開放部において前記メイン側手摺フレームの両端部を架橋するゲート側手摺フレームと、このゲート側手摺フレームの下方に対設されたゲート側下フレームと、このゲート側下フレームと前記ゲート側手摺フレームとの間に介装され、これら両フレーム同士を連結するとともに、貯湯時は前記簡易浴槽用シート内の湯の水圧を受容する１枚又は複数枚のゲート側受圧シートと、このゲート側受圧シートの両側に配設され前記ゲート側手摺フレームと前記ゲート側下フレームとを相互に連結支持するゲート側支柱とを備えたことを特徴とするものである。
【手続補正３】
【補正対象書類名】明細書
【補正対象項目名】００２５
【補正方法】変更
【補正の内容】
【００２５】
この簡易浴槽用組立式筐体１は、入浴者の出入りを許容する開放部３が設定されたメインユニット４と、このメインユニット４の開放部３を開閉するゲートユニット５と、これら両ユニット４，５を相互に連結固定する連結手段６とを具備している。